(57)【要約】【課題】意図しない相手へのデータ送信を防ぐセキュリティの高い近距離無線通信を実現した携帯無線端末を提供する。【解決手段】  制御部１４０が、相手端末１００ｂによって送信された第１の指紋データと指紋検出部１６０ｂにより検出され、記憶部１３０に保存されている第２の指紋データとの一致判定を行い、一致する場合には近距離無線通信により所定のデータ送信を許可し、一致しない場合には当該所定のデータ送信を許可しない制御を行う。【選択図】図１
2011048523.tif 000002
【特許請求の範囲】
【請求項１】
指紋の検出を行う指紋検出部と、
近距離無線通信を行う近距離無線通信部と、
前記検出した指紋及び所定のデータを保存する記憶部と、
前記記憶部に保存されている前記所定のデータの前記近距離無線通信部による送信を制御する制御部と、
を有し、
前記制御部は、前記近距離無線通信部による通信開始後に、相手端末から第１の指紋データを受信し、前記指紋検出部により検出されて、前記記憶部に保存された第２の指紋データと前記第１の指紋データとが一致するか否かを判定し、一致する場合には前記近距離無線通信部による前記所定のデータの送信を許可し、一致しない場合には前記所定のデータの送信を許可しないことを特徴とする携帯無線端末。
【請求項２】
前記制御部は、前記近距離無線通信部による通信が開始した後に、前記第１の指紋データと前記第２の指紋データとが不一致であった回数を前記記憶部に累積的に記録しておき、前記不一致であった回数が所定の回数を超えると、前記近距離無線通信部による通信を終了させる制御を行うことを特徴とする請求項１に記載の携帯無線端末。
【請求項３】
前記制御部は、前記判定において前記第１の指紋データと前記第２の指紋データとが一致する場合、前記記憶部に保存されている前記第２の指紋データを削除することを特徴とする請求項１に記載の携帯無線端末。
【請求項４】
前記表示部に重畳されるタッチセンサをさらに備え、
前記指紋検出部は、前記タッチセンサが重畳されている前記表示部の一部もしくは前記表示部の外縁の一部に位置し、
前記制御部は、前記タッチセンサにおいて接触が検出され、当該検出の位置が移動されたことを判定する移動判定に続いて、前記指紋検出部による指紋の検出が行われると、前記所定の通信を開始することを特徴とする請求項１に記載の携帯無線端末。
【請求項５】
前記表示部は、前記所定のデータに対応する象徴画像を表示し、
前記制御部は、前記タッチセンサにより前記象徴画像に重畳する領域での接触を検出した後に、前記移動判定が生じると、前記指紋の検出及び前記所定の通信を開始することを特徴とする請求項４に記載の携帯無線端末。
【請求項６】
前記制御部は、前記移動判定における前記接触の検出に続く前記検出位置の移動の速度が所定速度以上である、あるいは前記接触の検出に続く前記検出位置の移動が前記タッチセンサの検出可能端部まで継続されることをもって、前記検出位置の移動の判定とすることを特徴とする請求項５に記載の携帯無線端末。
【請求項７】
前記制御部は、前記近距離無線通信部により通信が開始されると、前記表示部のバックライトの点灯制御を当該通信の開始前の状態から異ならせることを特徴とする請求項１から６のいずれかに記載の携帯無線端末。
【請求項８】
前記近距離無線通信部は赤外線通信、可視光通信のいずれかを行うことを特徴とする請求項１から７のいずれか１項に記載の携帯無線端末。
【請求項９】
前記近距離無線通信部よりも長距離の通信が可能な長距離無線通信部をさらに備え、
前記所定のデータは、前記長距離無線通信部によって取得するデータであることを特徴とする請求項１から８のいずれか１項に記載の携帯無線端末。
【請求項１０】
前記近距離無線通信部よりも長距離の通信が可能な長距離無線通信部をさらに備え、
前記所定のデータは、前記長距離無線通信部によって着信を受けるための自端末のアドレス情報であることを特徴とする請求項１から８のいずれか１項に記載の携帯無線端末。
【請求項１１】
指紋の検出を行う指紋検出部と、
近距離無線通信を行う通信部と、
前記指紋検出部により検出した指紋を保存する記憶部と、
制御部と、
を有し、
前記制御部は、前記通信部による通信が開始すると、前記指紋検出部を検出可能な状態とし、前記指紋検出部によって指紋が検出されると、当該指紋の指紋データを前記記憶部に保存させると共に、前記通信部により相手端末に送信させ、当該送信の後に前記記憶部に保存されている当該指紋データを削除する一方で、前記指紋データの送信後、当該通信において所定のデータを受信すると、当該所定のデータを前記記憶部に保存することを特徴とする携帯無線端末。
【請求項１２】
近距離無線通信を行う第１通信部と第１指紋検出部とを有する第１携帯端末と、近距離無線通信を行う第２通信部と第２指紋検出部とを有する第２携帯端末との間で、データを送信するデータ送信制御方法であって、
前記第１指紋検出部にて送信側指紋データを検出する第１ステップと、
前記第２指紋検出部にて受信側指紋データを検出する第２ステップと、
前記第１通信部と前記第２通信部との間で通信接続開始される第３ステップと、
前記通信により、前記第２携帯端末から前記第１携帯端末へ前記受信側指紋データを送信する第４ステップと、
前記第１携帯端末にて、受信された前記受信側指紋データと、前記送信側指紋データとを比較する第５ステップと、
前記第５ステップにて一致判定されると、前記第１携帯端末内の所定のデータを前記第１通信部により前記第２携帯端末への送信を許可し、一致判定されなければ送信を許可しない第６ステップと、
第２携帯端末にて、前記所定のデータが受信されると、これを記憶する第７ステップと、を備えることを特徴とするデータ送信制御方法。
【発明の詳細な説明】
【技術分野】
【０００１】
本発明は、指紋認証機能付き近距離無線通信機能を備えた携帯無線端末に関する。
【背景技術】
【０００２】
近年、携帯電話などの携帯無線端末同士間で、電話帳や自分のプロフィールなどのデータを送受信する際に近距離無線通信が用いられている。近距離無線通信には、例えば、赤外線、磁界通信、Bluetooth（登録商標）などがある。これらの近距離無線通信は携帯無線端末同士で直接データのやり取りができるため、手軽であり、多くの人に使用されている。また、特許文献１では、このような近距離無線通信の一例として赤外線通信が示されている。
【０００３】
一方、現在の個人認証方法の一つとして特徴のある生体情報から各個人を特定する生体情報認証方法があり、例として指紋認証、網膜認証、静脈認証などがある。特許文献２には指紋を検出し、その指紋データを無線通信により送信可能な指紋読取カード装置が示されている。
【先行技術文献】
【特許文献】
【０００４】
【特許文献１】特開２００７−２２１４８９号公報
【特許文献２】特開２００１−２８３１６６号公報
【発明の概要】
【発明が解決しようとする課題】
【０００５】
しかし、上記特許文献１の構成にあっては、悪意のある第３者が近距離無線通信におけるデータ受信準備状態の携帯無線端末を送信側端末の付近に備えている場合、送信者は意図した受信者以外の第３者へのデータ送信を防止できない。また、上記特許文献２の構成にあっては、検出した指紋データのみが無線通信にて送信されるだけで、その指紋認証によってデータ通信のセキュリティを高めるものではない。
【０００６】
本発明は上述の問題を解決するために、意図しない相手へのデータ送信を防ぐセキュリティの高い近距離無線通信を実現した携帯無線端末を提供することを目的とする。
【課題を解決するための手段】
【０００７】
上記目的を達成するため、本発明の携帯無線端末は、指紋の検出を行う指紋検出部と、近距離無線通信を行う近距離無線通信部と、前記検出した指紋及び所定のデータを保存する記憶部と、前記記憶部に保存されている前記所定のデータの前記近距離無線通信部による送信を制御する制御部と、を有し、前記制御部は、前記近距離無線通信部による通信開始後に、相手端末から第１の指紋データを受信し、前記指紋検出部により検出されて、前記記憶部に保存された第２の指紋データと前記第１の指紋データとが一致するか否かを判定し、一致する場合には前記近距離無線通信部による前記所定のデータの送信を許可し、一致しない場合には前記所定のデータの送信を許可しない。
【０００８】
また、好適には、前記制御部は、前記近距離無線通信部による通信が開始した後に、前記第１の指紋データと前記第２の指紋データとが不一致であった回数を前記記憶部に累積的に記録しておき、前記不一致であった回数が所定の回数を超えると、前記近距離無線通信部による通信を終了させる制御を行う。
【０００９】
また、好適には、前記制御部は、前記判定において前記第１の指紋データと前記第２の指紋データとが一致する場合、前記記憶部に保存されている前記第２の指紋データを削除する。
【００１０】
また、本発明の携帯無線端末において、前記表示部に重畳されるタッチセンサをさらに備え、前記指紋検出部は、前記タッチセンサが重畳されている前記表示部の一部もしくは前記表示部の外縁の一部に位置し、前記制御部は、前記タッチセンサにおいて接触が検出され、当該検出の位置が移動されたことを判定する移動判定に続いて、前記指紋検出部による指紋の検出が行われると、前記所定の通信を開始する。
【００１１】
また、好適には、前記表示部は、前記所定のデータに対応する象徴画像を表示し、
前記制御部は、前記タッチセンサにより前記象徴画像に重畳する領域での接触を検出した後に、前記移動判定が生じると、前記指紋の検出及び前記所定の通信を開始する。
【００１２】
また、好適には、前記制御部は、前記移動判定における前記接触の検出に続く前記検出位置の移動の速度が所定速度以上である、あるいは前記接触の検出に続く前記検出位置の移動が前記タッチセンサの検出可能端部まで継続されることをもって、前記検出位置の移動の判定とする。
【００１３】
また、好適には、前記制御部は、前記近距離無線通信部により通信が開始されると、前記表示部のバックライトの点灯制御を当該通信の開始前の状態から異ならせる。
【００１４】
また、本発明の携帯無線端末において、前記近距離無線通信部は赤外線通信、可視光通信のいずれかを行う。
また、本発明の携帯無線端末において、前記近距離無線通信部よりも長距離の通信が可能な長距離無線通信部をさらに備え、前記所定のデータは、前記長距離無線通信部によって取得するデータである。
【００１５】
また、本発明の携帯無線端末において、前記近距離無線通信部よりも長距離の通信が可能な長距離無線通信部をさらに備え、前記所定のデータは、前記長距離無線通信部によって着信を受けるための自端末のアドレス情報である。
【００１６】
上記課題を解決するために本発明にかかる携帯無線端末の他の代表的な構成は、指紋の検出を行う指紋検出部と、近距離無線通信を行う通信部と、前記指紋検出部により検出した指紋を保存する記憶部と、制御部と、を有し、前記制御部は、前記通信部による通信が開始すると、前記指紋検出部を検出可能な状態とし、前記指紋検出部によって指紋が検出されると、当該指紋の指紋データを前記記憶部に保存させると共に、前記通信部により相手端末に送信させ、当該送信の後に前記記憶部に保存されている当該指紋データを削除する一方で、前記指紋データの送信後、当該通信において所定のデータを受信すると、当該所定のデータを前記記憶部に保存する。
【００１７】
第２の観点の発明の送信制御方法は、近距離無線通信を行う第１通信部と第１指紋検出部とを有する第１携帯端末と、近距離無線通信を行う第２通信部と第２指紋検出部とを有する第２携帯端末との間で、データを送信するデータ送信制御方法であって、前記第１指紋検出部にて送信側指紋データを検出する第１ステップと、前記第２指紋検出部にて受信側指紋データを検出する第２ステップと、前記第１通信部と前記第２通信部との間で通信接続開始される第３ステップと、前記通信により、前記第２携帯端末から前記第１携帯端末へ前記受信側指紋データを送信する第４ステップと、前記第１携帯端末にて、受信された前記受信側指紋データと、前記送信側指紋データとを比較する第５ステップと、前記第５ステップにて一致判定されると、前記第１携帯端末内の所定のデータを前記第１通信部により前記第２携帯端末への送信を許可し、一致判定されなければ送信を許可しない第６ステップと、第２携帯端末にて、前記所定のデータが受信されると、これを記憶する第７ステップと、を備えることを特徴とするデータ送信制御方法。
【発明の効果】
【００１８】
本発明によれば、意図しない相手へのデータ送信を防ぐセキュリティの高い近距離無線通信を実現した携帯無線端末を提供することができる。
【図面の簡単な説明】
【００１９】
【図１】本実施形態に係る携帯無線端末１００の構成を示すブロック図である。
【図２】本実施形態に係る携帯無線端末１００aと相手端末１００ｂの近距離無線通信時における動作例を示すフローチャートである。
【図３】本実施形態に係る携帯無線端末１００の表示部１５０と近距離無線通信を開始させる操作を説明する図である。
【図４】本実施形態に係る携帯無線端末１００aから相手端末１００ｂへデータを送信させる操作を説明する図である。
【発明を実施するための形態】
【００２０】
以下、本発明にかかる携帯無線端末１００の実施形態について、添付図面に基づいて説明する。
【００２１】
図１は、本実施形態に係る携帯無線端末１００の構成を示すブロック図である。
【００２２】
また、図２は、本実施形態に係る携帯無線端末１００aと相手端末１００ｂの近距離無線通信時における動作例を示すフローチャートである。
【００２３】
また、図３は、本実施形態に係る携帯無線端末１００の表示部１５０と近距離無線通信を開始させる操作を説明する図である。
【００２４】
また、図４は、本実施形態に係る携帯無線端末１００aから相手端末１００ｂへデータを送信させる操作を説明する図である。
【００２５】
本実施形態に係る携帯無線端末１００は、図１に示すように、近距離無線通信部１１０と、長距離無線通信部１２０と、記憶部１３０と、制御部１４０と、表示部１５０と、操作入力部１６０と、タッチセンサ１６０aと、指紋検出部１６０ｂとを有する。
【００２６】
近距離無線通信部１１０は、相手端末と直接通信ができるものであって、例えば、通信距離が１ｍ以内の赤外線通信（ＩｒＤＡ：Infrared Data Association）や赤外線以外の波長の光を用いた通信では可視光通信が挙げられ、また、通信距離が数１０m以内の無線ＰＡＮ（Wireless Personal Area Network）に代表される磁界通信（ＲＦＩＤ：Radio Frequency Identification）、ＺｉｇＢｅｅ（登録商標）、ＵＷＢ（Ultra Wideband）、Ｂｌｕｅｔｏｏｔｈ（登録商標）のいずれかで構成されている。例えば、ＩｒＤＡの場合、携帯無線端末１００ａと相手端末１００ｂの近距離無線ポート１１０aを互いに向かい合わせ、制御部１４０から供給される送信データに所定の変調処理を施して赤外線信号に変換して送出する。また、受信した相手端末１００ｂからの赤外線信号に所定の復調処理を施して受信データに変換し、制御部１４０に出力する。
【００２７】
近距離無線通信部１１０が送受信を行うデータは、予め記憶部１３０に保存されているデータだけでなく、長距離無線通信部１２０によって取得されたデータも含み、例えばアドレス帳や写真等のデータである。
【００２８】
長距離無線通信部１２０は、基地局あるいはアクセスポイント等のネットワーク経由で相手端末と通信するものであって、例えば、無線ＰＡＮ（Wireless Personal Area Network）以外の無線ＬＡＮ（Wireless Local Area Network）以上の通信距離を実現する通信部に該当する。その例としてｉＢｕｒｓｔやＷｉＭＡＸ（Worldwide Interoperability for Microwave Access）などの通信距離が５０ｋｍ以下の無線ＭＡＮ（Wireless Metropolitan Area Network）やＣＤＭＡ２０００、Ｗ−ＣＤＭＡやＧＳＭ（Global System for Mobile communication）などに代表される通信事業者の運営する無線通信網（正確には無線通信網に接続される基地局）との間の無線通信である通信距離が５０ｋｍ以上の無線ＷＡＮ（wireless wide area network）がある。例えば、制御部１４０から供給される送信データに所定の変調処理を施して無線信号に変換して送出する。また、受信された通信網からの無線信号に所定の復調処理を施して受信データに変換し、制御部１４０に出力する。
【００２９】
長距離無線通信部１２０が送受信を行うデータは、例えば音声通話に関する音声データ、メール等に関するテキストデータや画像データ、通信相手のアドレス情報である。
【００３０】
記憶部１３０は、ＲＯＭ、ＲＡＭ、携帯無線端末１００の近距離無線通信時に必要なデータをバッファリング（一時記憶）したり、画像データや音声データ、或いはアドレス帳や着信・発信履歴のデータ等を記憶したりする記憶装置である。
【００３１】
また、記憶部１３０は、近距離無線通信時に指紋検出部１６０ｂにより検出した指紋データ及び所定のデータをバッファリングするメモリ領域も有する。
制御部１４０は、携帯無線端末１００の統括的な制御を行う。
【００３２】
例えば、音声通話時・メール送受信時・近距離無線通信時等に、それぞれの通信に必要なデータに所定の処理を施し、それぞれの通信に対応した近距離無線通信部１１０或いは長距離無線通信部１２０に当該データを送出させる。
【００３３】
なお、制御部１４０は、本発明の実施形態によると、タッチセンサ１６０aによるユーザの指もしくはタッチペン等による接触検出後の検出位置が移動されたことを判定する移動判定を行う。なお、これについての詳細は後述する。
【００３４】
さらに、制御部１４０は移動判定を行った後、指紋検出部１６０ｂを起動させる。そして、指紋検出部１６０ｂにより指紋が検出されると、検出された指紋に基づいて生成された指紋データと象徴画像１５１に基づいた所定のデータをバッファリング（一時記憶）する機能を有する。
【００３５】
表示部１５０は、多数の画素（複数色の発光素子の組み合わせ）を縦横に配して構成された有機ＥＬディスプレイ（Electro-Luminescence Display）や樹脂基板上にトランジスタを形成したＴＦＴ液晶ディスプレイ（Thin Film Transistor Liquid Crystal Display）等で構成されており、制御部１４０により生成され、記憶部１３０の所定の領域（ＶＲＡＭ領域）に書き込まれた表示データに応じた象徴画像を表示する。
【００３６】
また、表示部１５０は、例えば、基地局通信部による無線発信時における発信先の電話番号、着信時における発信元の電話番号、受信メールや送信メールの内容、Ｗｅｂページ、日付、時刻、電池残量、発信成否、文書、待ち受け画面等を表示する。
【００３７】
また、表示部１５０は、近距離無線通信による送信が可能なデータに基づいた象徴画像１５１を画面内に表示する。
【００３８】
象徴画像１５１とは、送信するデータを象徴してユーザに視認させる画像を示す。具体的には、象徴画像１５１として、アイコン、サムネイル等を利用できる。この象徴画像１５１のタッチセンサ１６０aに対する所定の摺動操作が、指紋検出部１６０ｂのトリガとなるが、詳細については後述するものとする。
【００３９】
操作入力部１６０は、タッチセンサ１６０ａと、指紋検出部１６０ｂとを有するが、なお他のキーを含んでいてもよい。
【００４０】
タッチセンサ１６０ａは、透明または半透明の素材で形成され、表示部１５０に重畳される。タッチセンサ１６０ａの接触の感知方法としては、代表的には、圧力の変化を感知する感圧式と静電気による電気信号を感知する静電容量方式の２通りがある。
【００４１】
また、制御部１４０は、タッチセンサ１６０ａによるユーザの指もしくはタッチペン等による接触検出後の検出位置が移動されたことを判定する移動判定を行う。
【００４２】
なお、本実施形態による移動判定とはタッチセンサ１６０aが象徴画像１５１に重畳される領域でのユーザの指もしくはタッチペン等の接触を検出した後、タッチセンサ１６０ａの検出位置の移動が所定速度以上であった、あるいはタッチセンサ１６０aの検知可能端部まで検出位置の移動が継続された判定を意味する。
【００４３】
なお、本実施形態では、特に、前記近距離通信部１１０による送信が可能なデータを表す象徴画像１５１に対して、接触の検知及び移動判定が行われた場合を指紋検出部１６０ｂ起動のトリガとする。
【００４４】
指紋検出部１６０ｂは、静電容量方式センサであり、指の接触状態を、半導体センサのマトリクス部を構成するドットの中の電荷蓄積が変化し指の皮膚の接触を感知したドットの数が一定数以上になったとき、自動的に指紋を読み取り、読み取った画像のデータから指紋の模様に含まれる特徴情報を抽出し指紋データを生成する処理へ自動的に進むように動作する指紋読取装置である。
【００４５】
また、指紋検出部１６０ｂは、タッチセンサ１６０aに重畳されている表示部１５０の一部もしくはタッチセンサ１６０aの外縁の一部に位置し、タッチセンサ１６０aによる所定の摺動動作の検知により起動し、指紋の接触により指紋の検出を開始する。
【００４６】
次に、携帯無線端末１００aと相手端末１００ｂの近距離無線通信時における動作例について図２に示すフローチャートを参照しながら説明する。
【００４７】
ステップＳＴ１：
図１に示した操作入力部１６０を介したユーザの入力により、第一の通信部１１０によって相手端末１００ｂに送信しようとする所定のデータ、例えば画像ファイルや自らのプロフィール（電話番号、メールアドレス等、使用者の個人情報）のテキストファイル等が選択され、象徴画像１５１として表示部１５０に表示される。
【００４８】
ステップＳＴ２：
制御部１４０は、ステップＳＴ１において表示されたデータの象徴画像１５１に重畳する領域でのタッチセンサ１６０aへの接触を検知し、接触が継続すると共に続けて摺動（表示部を擦る動作）を検知すると、象徴画像１５１が摺動に沿って表示部１５０内を移動する。また、上述した所定の摺動とは所定の速度以上であること、あるいはタッチセンサ１６０aの検知領域端部まで摺動が継続されることを意味する。
【００４９】
ステップＳＴ３：
制御部１４０は、ステップＳＴ２における象徴画像１５１への接触、摺動の検知に続いて、表示部１５０を構成するタッチセンサ１６０ａに重畳されている表示部１５０の一部もしくは外縁部に構成されている指紋検出部１６０ｂにおいて指紋を検出する。そのときに、表示部１５０のバックライトが点灯し、ユーザに対して指紋検出が行われたことを知らせてもよい。
【００５０】
また、制御部１４０は、指紋検出部１６０ｂにより検出された指紋の特徴部分を抽出して指紋データを生成し、記憶部１３０にバッファリング（一時記憶）させる。この指紋データを第２の指紋データとする。
【００５１】
ステップＳＴ４：
制御部１４０は、ステップＳＴ３における指紋の検出後に近距離無線通信処理を起動させ、選択した所定のデータをバッファリングし、相手端末１００ｂへ開始要求及び指紋データ出力要求を送信させる。このときに、表示部１５０のバックライトが点灯し、ユーザに対して通信が開始したことを知らせてもよい。
【００５２】
ステップＳＴ５：
制御部１４０は、ステップＳＴ１３において相手端末１００ｂから指紋データを受信すると、当該指紋データは記憶部１３０に保存されると共に、指紋データの受信が成功したことを示す返答を相手端末１００ｂに送信する。また、この指紋データを第１の指紋データとする。
【００５３】
ステップＳＴ６：
制御部１４０は、ステップＳＴ４において記憶部１３０にバッファリングした第２の指紋データと、ステップＳＴ５において相手端末１００ｂより受信した第１の指紋データとを比較し、一致した場合はステップＳＴ７に進み、不一致の場合はステップＳＴ１０に進む。
【００５４】
ステップＳＴ７：
制御部１４０は、ステップＳＴ３において記憶部１３０にバッファリングした第２の指紋データ及び相手端末より受信し、記憶部１３０に保存した第１の指紋データを消去する。ステップＳＴ７は、判定後の第１の指紋データ及び第２の指紋データを記憶部１３０に残しておくのは余分なデータの増大及びセキュリティの低下を招くために行われる。
【００５５】
ステップＳＴ８：
制御部１４０は、ステップＳＴ４において記憶部１３０にバッファリングした所定のデータを近距離無線通信部１１０によって送信させる。その後、相手端末１００ｂからデータ受信確認を受信するとステップＳＴ９に進む。
【００５６】
ステップＳＴ９：
制御部１４０は、ステップＳＴ８において相手端末１００ｂからデータ受信確認を受信するか、もしくはステップＳＴ１０において判定が不一致であった回数が所定の回数を超えた場合に近距離無線通信を終了させる。
【００５７】
ステップＳＴ１０：
制御部１４０は、ステップＳＴ６において、判定が不一致であった場合、不一致であった回数を累積的に記憶部１３０に記録させると共に、不一致であった回数が所定の回数を超えると、近距離無線通信を終了させる。
【００５８】
ステップＳＴ１１：
相手端末１００ｂは、ステップＳＴ４において携帯無線端末１００aから送信された通信開始要求を受信した後、通信可能な状態であれば、通信可能である返答を送信し、携帯無線端末１００aとのネゴシエーションを確立させる。
【００５９】
また、相手端末１００ｂは指紋データ出力要求を受信すると、指紋検出部１６０ｂによる指紋の検出が可能な状態になる。
【００６０】
この時、相手端末１００ｂは、指紋の検出を求めるユーザーインターフェイスを表示部１５０に表示してもよいし、もしくは表示せずに表示部１５０のバックライトを点灯させることで指紋の検出を求めることを知らせてもよい。
【００６１】
ステップＳＴ１２：
相手端末１００ｂは、ステップＳＴ１１における指紋の検出が可能な状態になった時から所定時間以内に指紋を検出した場合、ステップＳＴ１３に進むのに対して、所定時間以内に指紋を検出できなかった場合、ステップＳＴ１６へ進む。
また、相手端末１００ｂは指紋を検出した場合、検出した指紋は特徴情報を抽出して第１の指紋データとして相手端末１００ｂの記憶部１３０にバッファリングする。
【００６２】
ステップＳＴ１３：
相手端末１００ｂは、記憶部１３０にバッファリングされている第１の指紋データを送信する。その後、携帯無線端末１００aから指紋データの受信確認を受信するとステップＳＴ１４へ移動する。
【００６３】
ステップＳＴ１４：
相手端末１００ｂは、記憶部１３０にバッファリングされている第１の指紋データを削除する。このステップを設ける理由はステップＳＴ７と同様で余分なデータの増大、セキュリティの向上のためである。なお、このステップはステップＳＴ１５のデータ受信の後でもよい。
【００６４】
ステップＳＴ１５：
相手端末１００ｂは、受信した所定のデータを記憶部１３０に保存し、所定のデータを受信したことを示す返答（データ受信確認）を携帯無線端末１００aに対して送信する。
【００６５】
また、相手端末１００は受信した所定のデータを保存するかもしくは破棄することを選択させるユーザーインターフェイスを表示部１５０に表示させてもよい。
【００６６】
ステップＳＴ１６：
相手端末１００ｂは、ステップＳＴ１２において、タイムアウトして指紋を検出できなかった場合、もしくはステップＳＴ１５において携帯無線端末１００ａからデータ受信確認を送信したら近距離無線通信を終了させる。
【００６７】
以上、上述したように、本実施形態の携帯無線端末１００aによれば、近距離無線通信時に、選択したデータを送信する際に、ユーザの指紋検出により発生した指紋データと相手端末１００ｂにより送信された指紋データを比較し、一致した場合にデータ送信を開始する一方で、一定回数以上、不一致であった場合には近距離無線通信を終了させることで、意図しない相手へのデータ送信を防ぐセキュリティの高い近距離無線通信を行うことができる。
【００６８】
次に、図３は、携帯無線端末１００における象徴画像１５１の表示の移動及び近距離無線通信開始までの操作を示した図である。
【００６９】
まず、図３（ａ）〜（ｃ）に示すように携帯無線端末１００の中央部に表示部１５０が位置し、さらにタッチセンサ１６０ａが重畳されている。さらに、指紋検出部１６０ｂが表示部１５０の外縁部に位置し、その近傍に近距離無線通ポート１１０ａが設置されている。なお、指紋検出部１６０ｂは表示部１５０の一部に形成してもよい。
【００７０】
図３（ａ）に示すように、ユーザの所定の操作によって表示させたアドレス帳の象徴画像１５１の領域内に重畳するようにタッチセンサ１６０ａに接触する。
【００７１】
次に、図３（ｂ）に示すように、その状態から矢印が示す摺動方向へ摺動を行うと、摺動方向へ移動した象徴画像１５１が表示部１５０に表示される。
【００７２】
次に、図３（ｃ）に示すように、タッチセンサ１６０ａ上の摺動が継続され、指紋検出部１６０ｂにて指の接触を検知すると、指紋の検出が行われ、生成した指紋データが記憶部１３０にバッファリングされると共に近距離無線通信が開始される。また、この時、表示部１５０のバックライトが点灯し、近距離無線通信の開始をユーザに知らせる。
【００７３】
上述した構成によってユーザが容易に指紋検出及び近距離無線通信を開始することができる。
【００７４】
図４は、携帯無線端末１００ａから相手端末１００ｂへのデータ送信における表示部１５０の表示及び操作を示す。
【００７５】
まず、図４（ａ）に示すように、近距離無線通信は、携帯無線端末１００ａの近距離無線通信ポート１１０ａと相手端末１００ｂの近距離無線通信ポート１１０ａとをお互いに向かい合わせ、数m〜数十mの近距離の範囲内で行う。
【００７６】
携帯無線端末１００aは指紋検出部１６０ｂにより指紋が検出されると、相手端末１００ｂへ指紋出力要求が送信される。
【００７７】
次に、指紋出力要求を受信した相手端末１００ｂは指紋検出部１６０ｂにより検出した第１の指紋データを携帯無線端末１００aへ送信する。
【００７８】
次に、第１の指紋データを受信した携帯無線端末１００aは記憶部１３０にバッファリングされている第２の指紋データと第１の指紋データが一致するか否かを判定し、一致した場合、記憶部１３０にバッファリングされているアドレス帳データを相手端末１００ｂへ送信する。
【００７９】
次に、相手端末１００ｂはアドレス帳データを受信すると、図４（ｂ）に示すように相手端末１００ｂの表示部１５０に受信したアドレス帳データの象徴画像１５１及びデータを受信したことを示すユーザーインターフェイスを表示してもよい。
【００８０】
また、携帯無線端末１００ａは相手端末１００ｂよりデータ受信確認を受信すると、データ送信が完了したことを示すユーザーインターフェイスを表示してもよい。
上述した構成によってユーザが容易に指紋検出及び近距離無線通信を開始することができる。
【００８１】
また、第１の指紋データと第２の指紋データとが一致しない回数が所定の回数以上になると、近距離無線通信を強制的に終了させるという構成をとることで、セキュリティの高いデータ通信が実現するという効果を有する。
【００８２】
また、第１の指紋データと第２の指紋データとが一致する場合、携帯無線端末１００に保存されている第２の指紋データを削除するという構成を有することで、データ容量の節約及び指紋データの悪用防止という効果を奏する。
【００８３】
また、特に表示部１５０にタッチセンサ１６０aを重畳させた携帯無線端末１００において、タッチセンサ１６０aの摺動操作の検知に続いて、指紋検出部１６０ｂによる指紋の検出が行われると、データ通信を開始させるという構成を有しているため、近距離無線通信を行う上での操作性が向上するという効果を有する。
【００８４】
また、指紋検出部１６０ｂにより指紋検出が行われると、表示部１５０のバックライトが点灯するという構成を有しているため、ユーザが近距離無線通信の開始を容易に判別することができるという効果を有する。
【００８５】
また、長距離無線通信部１２０により外部ネットワークと通信が可能であるという構成を有しているため、携帯無線端末１００に内蔵されているデータ以外のデータでも近距離無線通信で相手に通信することができるという効果を有する。
【００８６】
また、相手端末１００ｂの制御部１４０は近距離無線通信部１１０による所定の通信が開始され、記憶部１３０に保存されている指紋データを送信すると、記憶部１３０に保存されている指紋データを削除して、受信した所定のデータを記憶部に保存するという構成を有しているため、セキュリティの高いデータ通信を実現するという効果を有する。
【００８７】
なお、上述した実施の形態においては近距離無線通信で送信したデータの一例として、アドレス帳を示したが、アドレス帳以外の写真などの画像データや音楽などの音声データでもよい。
【符号の説明】
【００８８】
１００ａ  携帯無線端末
１００ｂ  相手端末
１１０  近距離無線通信部
１１０ａ  近距離無線通信ポート
１２０  長距離無線通信部
１３０  記憶部
１４０  制御部
１５０  表示部
１５１  象徴画像
１６０  操作入力部
１６０a  タッチセンサ
１６０b  指紋検出部
【図１】
2011048523.tif 000003
【図２】
2011048523.tif 000004
【図３】
2011048523.tif 000005
【図４】
2011048523.tif 000006